(57)【要約】【課題】屋外固定物を固定するためのボルトの腐蝕部分に従来の固定部材と同様の長さの固定部材を容易にかつ充分強固に係合させて屋外固定物を固定できるようにすることにある。【解決手段】屋外固定物５を固定するための、ボルト２を用いた固定方法において、前記ボルトの腐食前の雄ねじ２ａに螺合する寸法の雌ねじを形成した固定部材７であって、前記雌ねじの一部が周方向に少なくとも部分的に元の寸法より縮径している固定部材７を、前記雌ねじの縮径していない端部側から前記ボルト２の腐食した部分の雄ねじ２ａにねじ込み、前記ボルトの腐食した部分の雄ねじに前記雌ねじの縮径している部分を螺合させることで、前記ボルト２に前記固定部材７を係合させて前記屋外固定物５を固定することを特徴とするものである。【選択図】図１
2010248845.tif 000002
【特許請求の範囲】
【請求項１】
屋外固定物を固定するための、ボルトを用いた固定方法において、
前記ボルトの腐食前の雄ねじに螺合する寸法の雌ねじを形成した固定部材であって、前記雌ねじの一部が周方向に少なくとも部分的に元の寸法より縮径している固定部材を、前記雌ねじの縮径していない端部側から前記ボルトの腐食した部分の雄ねじにねじ込み、
前記ボルトの腐食した部分の雄ねじに前記雌ねじの縮径している部分を螺合させることで、前記ボルトに前記固定部材を係合させて前記屋外固定物を固定することを特徴とする、屋外固定物の固定方法。
【請求項２】
前記固定部材の前記雌ねじの一部が、前記ボルトの腐食した部分の腐食の程度が大きい程、雌ねじの内径が周方向に少なくとも部分的に小さくなるよう縮径していることを特徴とする、請求項１に記載の屋外固定物の固定方法。
【請求項３】
前記固定部材の、前記雌ねじの一部を形成する部分をその雌ねじの半径方向内方へ向けて加締め加工することにより、前記雌ねじの一部を、周方向に少なくとも部分的に縮径させることを特徴とする、請求項１または２に記載の屋外固定物の固定方法。
【請求項４】
前記屋外固定物は、既設スレート葺屋根上に被覆配設して固定する補修用金属製折曲げ屋根材であることを特徴とする、請求項１〜３のいずれか１項に記載の屋外固定物の固定方法。
【請求項５】
屋外固定物を固定するための、ボルトと、そのボルトに係合する固定部材とを具える固定具であって、請求項１から４までの何れか１項記載の固定方法に用いられる固定具において、
前記固定部材が、前記ボルトの腐食前の雄ねじに螺合する寸法の雌ねじを形成され、
前記固定部材の、前記雌ねじの一部が、周方向に少なくとも部分的に元の寸法より縮径していることを特徴とする、屋外固定物の固定具。
【請求項６】
前記固定部材の前記雌ねじの一部が、前記ボルトの腐食した部分の腐食の程度が大きい程、雌ねじの有効径が周方向に少なくとも部分的に小さくなるよう縮径していることを特徴とする、請求項５に記載の屋外固定物の固定具。
【発明の詳細な説明】
【技術分野】
【０００１】
本発明は、工場や倉庫・店舗等の屋根葺に用いられているスレート屋根材を補修するための金属製折曲げ屋根材等の屋外固定物を固定する際に用いられる固定方法および、その方法に用いられる、フックボルト等のボルトとそのボルトに係合する固定部材とを具える固定具に関するものである。
【背景技術】
【０００２】
従来、老朽化したスレート葺屋根の補修を行う場合、先ず古くなったスレート屋根材を取り外し、次いで新たなスレート屋根材等を取付けて新しい屋根を葺上げる方法が一般的であるが、この工法では、特に工場等の場合、その葺替工事の間、作業を長期間に亘って休止しなければならないという問題があった。また、取り外したスレート屋根材はその多くがセメントの他に１０〜２０ｍａｓｓ％程度の石綿をも含むものであるため、近年は、この大量に発生する廃棄物の処理が環境汚染になるという問題があった。さらに、葺替工事中は屋根がなくなるため、風雨を凌ぐための養生を行うことが必要になり、しかも骨組だけになるため危険が伴い、かつ室内足場などを必要とするという問題もあった。
【０００３】
そこで、従来、老朽化したスレート葺屋根を取り壊すことなく、その上を金属製折曲げ屋根材にて覆うことによりスレート葺屋根を補修する方法が、例えば特許文献１，２により開示されて知られている。
【０００４】
即ち、特許文献１では、既設の波形スレート葺屋根を固定しているフックボルトに、固定金具としてのサドル部材を、その中央に設けられた通孔を介して挿通すると共に、該通孔から突出したフックボルトに、固定部材としての新規の長ナットを螺合させて締付け固定し、次にそのサドル部材上に、前記長ナットを跨ぐ高さで断面凸状に折曲成形された垂木部材を載置し、該垂木部材上に設けた金属製折曲げ屋根材の山部（凸部）から垂木部材に至るまで止着部材を挿通させることにより、金属製折曲げ屋根材を垂木部材上に支持固定する二重葺き屋根構造を提案している。
【０００５】
また、特許文献２では、既存の波形スレート板を固定しているフックボルトに、そのスレート板の略１山分に跨る固定金具としての支持金具を、その中央に設けられた挿入孔から挿通すると共に、フックボルトに弾性的に嵌着される固定部材としての止め板によって上側から押さえて固定し、次にその支持金具上に、新規の外装下地材を載置して固定具によって固着した後、該外装下地材上に新規の金属製折曲げ屋根材（外装材）を載置し、その金属製折曲げ屋根材の凸部上方から外装下地材に至るまでドリルビスを打入させることにより、金属製折曲げ屋根材を外装下地材上に支持固定する外装材葺替え構造を提案している。
【先行技術文献】
【特許文献】
【０００６】
【特許文献１】特許第３４８４６３０号公報
【特許文献２】特開２００３−１８４２２８号公報
【発明の概要】
【発明が解決しようとする課題】
【０００７】
ところで、上記特許文献１および特許文献２で開示された従来技術は、屋外固定物としての補修用金属製折曲げ屋根材およびその固定のための垂木部材や下地材を固定するために、既設の波形スレート葺屋根を固定しているフックボルトの、固定金具を貫通した部分に固定部材としての長ナットや止め板を係合させて、それらフックボルトと、長ナットや止め板とで固定具を構成している。
【０００８】
しかしながら、上記固定具において、既設の波形スレート葺屋根を固定しているフックボルトは、屋外環境に長期間晒されていたため腐食により雄ねじのねじ山が損耗している場合が多く、かかるフックボルトの腐食部分の、ねじ山が損耗した雄ねじでは、長ナットや止め板をしっかりと係合させることが困難な場合がある。そして長ナットや止め板の係合が不充分な場合には、フックボルトへの補修用金属製折曲げ屋根材の強固な固定ができず、補修用金属製折曲げ屋根材が強風時に外れて飛散する可能性が必ずしも否定できない。
【０００９】
このため、例えば上記特許文献１記載の構成では、フックボルトの腐蝕がひどい場合は長ナットをさらに長くして係合長さを稼ぐことも考えられるが、長ナットをさらに長くすると下地の高さに収容される範囲に長ナットが収まらず、二重葺き屋根構造の構成に支障が生じてしまう。
【００１０】
そこで、本発明は、屋外固定物を固定する際に固定具のボルトの腐蝕部分に従来の固定部材と同様の軸線方向長さの固定部材を容易にかつ充分強固に係合させる固定方法および、その方法に用いられる、フックボルト等のボルトとそのボルトに係合する固定部材とを具える固定具とを提供することを目的としている。
【課題を解決するための手段】
【００１１】
上記課題を有利に解決する本発明の屋外固定物の固定方法は、屋外固定物を固定するための、ボルトを用いた固定方法において、前記ボルトの腐食前の雄ねじに螺合する寸法の雌ねじを形成した固定部材であって、前記雌ねじの一部が周方向に少なくとも部分的に元の寸法より縮径している固定部材を、前記雌ねじの縮径していない端部側から前記ボルトの腐食した部分の雄ねじにねじ込み、前記ボルトの腐食した部分の雄ねじに前記雌ねじの縮径している部分を螺合させることで、前記ボルトに前記固定部材を係合させて前記屋外固定物を固定することを特徴とするものである。
【００１２】
また、上記課題を有利に解決する本発明の屋外固定物の固定具は、屋外固定物を固定するための、ボルトと、そのボルトに係合する固定部材とを具える固定具であって、前記固定方法に用いられる固定具において、前記固定部材が、前記ボルトの腐食前の雄ねじに螺合する寸法の雌ねじを形成され、前記固定部材の、前記雌ねじの一部が、周方向に少なくとも部分的に元の寸法より縮径していることを特徴とするものである。
【発明の効果】
【００１３】
上述した本発明の屋外固定物の固定方法および固定具によれば、固定部材をその固定部材の雌ねじの、ボルトの腐食前の雄ねじに螺合する寸法を持つ、縮径していない端部側から、屋外固定物を固定するためのボルトの腐食した部分の雄ねじにねじ込むと、そのボルトの腐食した部分の雄ねじに、その雄ねじへの前記雌ねじの縮径していない端部の螺合による案内下で、前記雌ねじの一部の縮径した部分が、腐蝕損耗したボルトのねじ山に圧力が加わるように密着し、縮径によって通常のねじより高い摩擦力で螺合するので、前記固定部材が従来の固定部材と同様の軸線方向長さのものでも、その固定部材を容易にかつ充分強固にボルトに係合させて屋外固定物を固定することができる。
【００１４】
なお、本発明の屋外固定物の固定方法においては、前記固定部材の前記雌ねじの一部が、前記ボルトの腐食した部分の腐食の程度が大きい（例えば表面からの腐蝕深さが深い）程、雌ねじの内径が周方向に少なくとも部分的に小さくなるよう縮径していることができ、このようにすれば、ボルトの腐蝕部分の内部の腐蝕していない部分にまで雌ねじを確実に螺合させて固定部材を充分強固に係合させることができるので好ましい。
【００１５】
また、本発明の屋外固定物の固定方法においては、前記固定部材の、前記雌ねじの一部を形成する部分をその雌ねじの半径方向内方へ向けて加締め加工することにより、前記雌ねじの一部を、周方向に少なくとも部分的に縮径させることができ、このようにすれば、固定部材に先に通常の雌ねじを形成してから加締め加工で固定部材を半径方向内方へ向けて潰して縮径させるので、容易に縮径部分を形成することができる。
【００１６】
そして、本発明の屋外固定物の固定方法においては、前記屋外固定物は、既設スレート葺屋根上に被覆配設して固定する補修用金属製折曲げ屋根材であることができ、このようにすれば、既設スレート葺屋根上に被覆配設した補修用金属製折曲げ屋根材を強固に固定し得て、補修用金属製折曲げ屋根材が強風時に外れて飛散するのを有効に防止することができる。
【００１７】
一方、本発明の屋外固定物の固定具においては、前記固定部材の前記雌ねじの一部が、前記ボルトの腐食した部分の腐食の程度が大きい（例えば表面からの腐蝕深さが深い）程、雌ねじの有効径が周方向に少なくとも部分的に小さくなるよう縮径していることができ、このようにすれば、腐蝕損耗したボルトのねじ山に圧力が加わるように密着し、縮径によって通常のねじより高い摩擦力で螺合することから、固定部材を充分強固に係合させることができるので好ましい。
【図面の簡単な説明】
【００１８】
【図１】本発明の屋外固定物の固定方法の一実施形態にかかるスレート葺屋根補修構造を示す断面図である。
【図２】（ａ），（ｂ）および（ｃ）は、本発明の屋外固定物の固定具の一実施形態で固定するクランプ金具を示す斜視図、底面図および側面図である。
【図３】本発明の屋外固定物の固定方法の他の一実施形態にかかる太陽電池パネル取り付け構造を示す側面図である。
【図４】（ａ）および（ｂ）は、図３中のＡ部を拡大して図３と同方向およびそれと直角な方向からそれぞれ示す断面図である。
【発明を実施するための形態】
【００１９】
図１に示す、本発明の屋外固定物の固定方法の一実施形態にかかるスレート葺屋根補修構造は、溝型鋼材などで構成される母屋１上にフックボルト２を介して固定されたスレート屋根材３の丸形凸部３ａのうちの、上記フックボルト２の設置部分に屋根材固定用のクランプ金具４を配置し、このクランプ金具４を介してその上に、屋外固定物としてのカバールーフである金属製折曲げ屋根材５を固定して、老朽化したスレート葺屋根をその上から金属製折曲げ屋根材５で覆うことにより、該スレート葺屋根の補修を行った様子を示している。
【００２０】
図２（ａ）〜（ｃ）は、上記クランプ金具４の一例を示しており、図示のようにこのクランプ金具４は、矩形状の金属製板材を樋状に折曲することで、中央に上面部４ｃを設けるとともに、その上面部４ｃの左右側縁に対し左右傾斜部４ａ，４ｂを設け、さらにそれら左右傾斜部４ａ，４ｂの側縁に対しスレート屋根材３の丸形凸部３ａの傾斜面に沿うように傾斜した左右鍔片４ｄ，４ｅを設けたものである。このクランプ金具４の上面部４ｃの長手方向の中央部には凹部６が形成され、この凹部６の底壁には上記フックボルト２を挿通するために、幅方向に長い長円状のボルト挿通孔６ａが形成されている。
【００２１】
また、このクランプ金具４の左右傾斜部４ａ，４ｂには、それら左右傾斜部４ａ，４ｂをエンボス加工することで内向きに窪んだ窪み部８，９が設けられており、これら窪み部８，９は、クランプ金具４をスレート屋根材３の丸形凸部３ａ上に載置した際に、クランプ金具４の荷重が左右鍔片４ｄ，４ｅからスレート屋根材３の丸形凸部３ａの傾斜面に集中して加わるのを防ぐためのものである。すなわち、これらくぼみ部８,９は左右傾斜部４ａ，４ｂの内面側では凸部を形成し、それらの凸部の下端面が左右鍔片４ｄ，４ｅの下面に連なっているので、クランプ金具４の荷重は丸形凸部３ａの頂部付近にも分散されることになり、例えば施工中に作業員がクランプ金具４を踏む等して荷重がかかった場合にも、スレート屋根材３が局部的に破損するおそれがなくなる。
【００２２】
さらに、このクランプ金具４の左右傾斜部４ａ，４ｂには、凹部６の長円状ボルト挿通孔６ａに隣接する部分に、この部分を球殻状に外側に膨らませて膨出部１０ａ，１０ｂが設けられており、これら膨出部１０ａ，１０ｂは、フックボルト２の締め付け用のナット１１や座金１２が、芯ズレしている場合に、左右傾斜部４ａ，４ｂと干渉することがないようにするためのものである。すなわち、スレート屋根材固定用のフックボルト２が、スレート屋根材３の丸形凸部３ａの頂点に対し芯ズレしていて、長円状ボルト挿通孔６ａの中央でなく端部を貫通するような場合でも、該フックボルト２を締め付けているナット１１や座金１２が、これら膨出部１０ａ，１０ｂ内に逃げて、左右傾斜部４ａ，４ｂと干渉することがないので、クランプ金具４をスレート屋根３上にしっかりと固定することができる。
【００２３】
ところで、このクランプ金具４は、上述のようにスレート屋根材３の所定位置の丸形凸部３ａの、フックボルト２の設置部分上に載置されると共に、図１，２に示す如く、上記ボルト挿通孔６ａに挿通されたフックボルト２と、そのフックボルト２の雄ねじ２ａにその上端からねじ込まれた固定部材７との係合によって該ストレート屋根材３上に強固に固定されて、その上面部４ｃに固定ねじ１３等で固着された金属製折曲げ屋根材５を母屋１に固定する。すなわち、フックボルト２と固定部材７とは、本発明の屋外固定物の固定具の一実施形態を構成し、クランプ金具４を介して金属製折曲げ屋根材５を母屋１に固定する機能を果たすものである。
【００２４】
スレート屋根材３を長期間固定しているフックボルト２の雄ねじ２ａは、少なくともナット１１よりも先端側の部分で、屋外の風雨等に晒されて表面が腐食して、その雄ねじ寸法が細くなっている場合が多い。それゆえここにおける固定部材７は、フックボルト２のそのように腐蝕した部分でもしっかりと確実に螺合するように、例えば特殊形状のナットからなるものとする。すなわち、この固定部材７は、例えば鍔付きのナットの形状をなすとともに、フックボルト２の腐食前の正規の雄ねじ寸法（例えば呼び径６ｍｍのメートル並み目ねじあるいは呼び径１／４インチ（２分）のウイットねじ）に螺合する正規の雌ねじ寸法の雌ねじ７ａを有し、その雌ねじ７ａの一端部（図では上端部）のみが周方向に等間隔に三箇所、部分的に元の寸法より縮径している。この縮径の程度は、フックボルト２の腐食した部分の腐食の程度が大きい（例えば表面からの腐蝕深さが深い）程、雌ねじ７ａの内径が周方向に部分的に小さくなる（例えば表面からの腐蝕深さに０．１ｍｍ〜０．５ｍｍ程度の所定食い込み深さを加えた分半径が小さくなる）よう設定されている。
【００２５】
かかる固定部材７をこの実施形態の固定方法では、図２（ａ）に示すように、その雌ねじ７ａの、フックボルト２の腐食前の雄ねじ寸法に対応する寸法を持つ他端部（図では下端部）側から、フックボルト２の腐食した部分の雄ねじ２ａにねじ込み、フックボルト２に固定部材７を係合させてクランプ金具４を固定し、これにより、金属製折曲げ屋根材５を母屋１に固定する。
【００２６】
そしてそのねじ込みの際には、フックボルト２の雄ねじ２ａへの、固定部材７の雌ねじ７ａの正規寸法の上記他端部の螺合による案内下で、そのフックボルト２の腐食した部分の雄ねじ２ａの谷に、固定部材７の雌ねじ７ａの上記一端部の縮径している部分の山が密着し、縮径によって通常のねじより高い摩擦力で、そのフックボルト２の腐食した部分の雄ねじ２ａに固定部材７の雌ねじ７ａが螺合する。
【００２７】
従って、この実施形態の固定方法によれば、フックボルト２の腐食した部分に、従来のナット１１等の固定部材と同様の軸線方向長さ（高さ）の上記固定部材７を容易にかつ充分強固に係合させて、屋外固定物としての金属製折曲げ屋根材５を母屋１に強固に固定することができるので、補修用の金属製折曲げ屋根材５が強風時に外れて飛散するのを有効に防止することができる。
【００２８】
しかも、この実施形態の固定方法によれば、固定部材７の雌ねじ７ａの一端部が、フックボルト２の腐食した部分の腐食の程度が大きい程、雌ねじ７ａの内径が周方向に部分的に小さくなるよう縮径しているので、フックボルト２の上記先端側の腐蝕部分に雌ねじ７ａの縮径部分を密着させて、高い摩擦力で、固定部材７を充分強固に係合させることができる。
【００２９】
ここで、固定部材７の雌ねじ７ａの一端部の上述の如き部分的な縮径形状は、例えばＮＣ旋盤で削り出すこともできるが、固定部材７の、先に形成した正規形状の雌ねじ７ａの上記一端部を形成する端部を、その雌ねじ７ａの半径方向の内方へ向けて例えばプレス金型で加締め加工することにより、容易にかつ正確に形成することができる。
【００３０】
なお、このように一端部が周方向に部分的に縮径した雌ねじ７ａを持つ固定部材７としては、フックボルト２の腐食程度に対して縮径程度が上記縮径部分の食い込みを可能にするものであれば、例えば紀州ファスナー株式会社が市販している商品名「スリーロックナット（フランジ付）」を用いることができる。なお、上記固定部材７の説明として、一端部のみが縮径している特殊形状のナット（鍔付き）の例を用いて説明したが、縮径している箇所は一端部に限定されず、ナットの軸線方向の中央部でも構わない。また、鍔がなくてもかまわない。
【００３１】
一方、クランプ金具４の凹部６は、図１に示すように、深さが固定部材７の高さと同等もしくはそれ以上となるように形成されている。このように構成することにより、固定部材７をフックボルト２に締結してクランプ金具４を既設のスレート屋根３上に固定した際に、固定部材７の上端が該クランプ金具４の上面部４ｃを越えないので、固定部材７がクランプ金具４から突出することがない。またクランプ金具４を固定部材７によってフックボルト２に固定した後は、フックボルト２の先端部を、クランプ金具４の上面部４ｃの高さ以下まで切断する。これにより、フックボルト２も固定金具４の凹部６内に収まるようになる。
【００３２】
従って、この実施形態の固定具によれば、新設の金属製折曲げ屋根材５をクランプ金具４上に載置する際に、固定部材７およびフックボルト２が金属製折曲げ屋根材５に当接することがないので、クランプ金具４の高さ程度まで金属製折曲げ屋根材５の山部高さを下げることができ、これにより、金属製折曲げ屋根板５をクランプ金具４に、その上面部４ｃへの固定ねじ１３のねじ込み等によって直接固着することができるとともに、金属製折曲げ屋根材５に、一般に普及している屋根材（９１４ｍｍ幅）を使用して、補修屋根構造を全体に低く（フラットに）仕上げることができるので、葺き上げた補修屋根を安定したものとすることができる。
【００３３】
このような葺屋根施工によって、老朽化したスレート葺屋根は、カバールーフである新しい金属製折曲げ屋根材５によってその全面が覆われ、スレート屋根材３等の既設屋根設備を全く解体することなく補修することができるようになる。
【実施例】
【００３４】
上述した実施形態の固定方法および固定具の一実施例について、強度試験を実施した結果は以下の通りである。すなわち、既存の建物のスレート葺屋根を構成する複数枚のスレート屋根材３を全体的に固定している３６本の、呼び径６ｍｍのフックボルト２について、それぞれ腐蝕した雌ねじ７ａから元のナットを外し、代わりにその腐蝕した雌ねじ７ａに固定部材７を係合させて、その固定部材７に専用引き抜き試験機の金具を係合させ、その金具を介して専用引き抜き試験機の手動式ねじ機構で固定部材７に引き抜き力を加えながら引き抜き荷重を測定する引き抜き強度試験を実施したところ、引き抜き荷重３５２ｋｇｆ〜２１３ｋｇｆ（２１３ｋｇｆは一本のみ）で、全てフックボルト２の基部のＵ字状に曲がった引っ掛け部が伸び、固定部材７の外れやフックボルト２の真直ぐな軸部の切断はなかった。
【００３５】
ところで、スレート屋根材３を固定しているフックボルト２は各固定部（１ｍ２）で三本ずつ組になっているので、ある固定部で最小引き抜き荷重の２１３ｋｇｆのフックボルト２が三本組になっていると仮定するとその固定部の破壊荷重は６３９ｋｇｆ／ｍ２となり、一方、風速３２ｍ、高さ７ｍの固定部での局部風荷重は１４４ｋｇｆ／ｍ２となるから、局部風荷重に対する安全係数は最低でも４．４倍となり、この点からも、上述した金属製折曲げ屋根板５による補修屋根が強風に対して充分な強度を有していることは明らかである。
【００３６】
図３は、本発明の屋外固定物の固定方法の他の一実施形態にかかる太陽電池パネル取り付け構造を示す側面図であり、この実施形態の固定方法は、既存のスレート葺屋根のスレート屋根材３を母屋１上に固定しているフックボルト２に、溝型形状の固定金具１４と、それと同様の溝型形状の長尺の下地材１５とを介して太陽電池パネル１６を固定するものである。なお、ここで用いる固定具は、先の実施形態の固定具と同様のものである。
【００３７】
この実施形態の固定方法では、図４（ａ），（ｂ）に拡大して示すように、開口側を上向きにした固定金具１４の底部に設けたボルト挿通孔１４ａに、フックボルト２の、ナット１１よりも先端側の腐食した部分を挿通して、その腐食した部分の雄ねじ２ａに先の実施形態の固定具におけると同様、固定部材７をその雌ねじ７ａの、フックボルト２の腐食前の雄ねじに螺合する寸法を持つ他端部（図では下端部）側からねじ込み、フックボルト２に固定部材７を係合させて固定金具１４をフックボルト２に固定する。
【００３８】
次いでここでは、固定金具１４の開口部に開口部を対向させて固定金具１４上に下地材１５を配置し、固定金具１４と下地材１５とのフランジ同士を例えば固定ねじ１３のねじ込み等によって固着させ、そしてその下地材１５上に太陽電池パネル１６を載置して、その下地材１５に太陽電池パネル１６を例えば固定ねじ１３のねじ込み等によって固着させ、これにより、太陽電池パネル１６を母屋１に固定する。
【００３９】
そしてそのねじ込みの際には、フックボルト２の雄ねじ２ａへの、固定部材７の雌ねじ７ａの正規寸法の上記他端部の螺合による案内下で、そのフックボルト２の腐食した部分の雄ねじ２ａの谷に、固定部材７の雌ねじ７ａの上記一端部の縮径している部分の山が密着し、高い摩擦力で、そのフックボルト２の腐食した部分の雄ねじ２ａに固定部材７の雌ねじ７ａが螺合する。なお、フックボルト２の雄ねじ２ａの、固定部材７を螺合させた位置よりも先端側の余長部は、固定部材７のねじ込みの前または後に、必要に応じて切断する。
【００４０】
従って、この実施形態の固定方法によれば、フックボルト２の腐食した部分に、上記固定部材７を容易にかつ充分強固に係合させて、屋外固定物としての太陽電池パネル１６を母屋１に強固に固定することができるので、太陽電池パネル１６が強風時に外れて飛散するのを有効に防止することができる。
【００４１】
以上、図示の実施形態に基づき説明したが、この発明の固定方法および固定具は、上述の実施形態に限定されるものでなく、特許請求の範囲の記載範囲内で適宜変更することができるものであり、例えば、固定部材７の雌ねじ７ａの軸線方向一部は、周方向の二箇所だけまたは四箇所以上縮径していても良く、あるいは周方向の全周に亘って環状に縮径していても良い。
【００４２】
また、ボルトを用いた固定具で固定される屋外固定物は、上述した補修工法で用いる金属製折曲げ屋根材５や、新設あるいは交換した太陽電池パネル１６に限られず、例えば、屋根上に設置するものでは、太陽電池パネル以外の太陽電池機器や、空調機器のクーリングタワー、アンテナ、ベンチレーター、雪止め器具等であっても良く、また建物側部に設置する壁材であっても良い。さらに、固定具のボルトは、屋根建材製品としての、金属屋根材の大波、小波や、塩化ビニール樹脂屋根材、ポリカーボネート屋根材、ＦＲＰ屋根材等を固定するフックボルトであっても良い。そして、固定具のボルトは、フックボルトに限られず、部材に係合する頭部を持つ通常のボルトや、部材にねじ込み固定されるアンカーボルト等であっても良い。
【産業上の利用可能性】
【００４３】
かくして本発明の屋外固定物の固定方法および固定具によれば、固定部材をその固定部材の雌ねじの、ボルトの腐食前の雄ねじに螺合する寸法を持つ他端部側から、屋外固定物を固定するためのボルトの腐食した部分の雄ねじにねじ込むと、そのボルトの腐食した部分の雄ねじに、その雄ねじへの前記雌ねじの他端部の螺合による案内下で、前記雌ねじの一部の縮径した部分が螺合するので、前記固定部材が従来の固定部材と同様の軸線方向長さのものでも、その固定部材を容易にかつ充分強固にボルトに係合させて屋外固定物を固定することができる。
【符号の説明】
【００４４】
１  母屋
２  フックボルト
２ａ  雄ねじ
３  スレート屋根材
３ａ  スレート屋根材の丸形凸部
４  クランプ金具
４ａ  左傾斜部
４ｂ  右傾斜部
４ｃ  上面部
４ｄ  左鍔片
４ｅ  右鍔片
５  金属製折曲げ屋根材
６  凹部
６ａ  ボルト挿入孔
７  固定部材
７ａ  雌ねじ
８，９  窪み部
１０ａ，１０ｂ  膨出部
１１  ナット
１２  座金
１３  固定ねじ
１４  固定金具
１４ａ  ボルト挿通孔
１５  下地材
１６  太陽電池パネル
【図１】
2010248845.tif 000003
【図２】
2010248845.tif 000004
【図３】
2010248845.tif 000005
【図４】
2010248845.tif 000006